(57)【特許請求の範囲】
【請求項１】
ユーザ機器の過熱に対する解決能力を備えるユーザ機器に応用されるユーザ機器の過熱保護方法であって、前記方法は、
第１シグナリングを基地局に送信し、前記第１シグナリングには、ユーザ機器が一時的なユーザ機器能力を報告する能力を備える指示情報が含まれるステップと、
プリセット期間内に前記基地局が前記第１シグナリングに基づいて第２シグナリングを返すか否かをモニタリングするステップと、
モニタリング結果に基づいて、基地局がユーザ機器の過熱に対する解決能力を備えるか否かを確定するステップと、を含み、
前記モニタリング結果に基づいて、基地局がユーザ機器の過熱に対する解決能力を備えるか否かを確定するステップは、
モニタリング結果が前記第２シグナリングがモニタリングされたことを示す場合、前記基地局がユーザ機器の過熱に対する解決能力を備えると確定するステップと、
モニタリング結果が前記第２シグナリングがモニタリングされないことを示す場合、前記基地局がユーザ機器の過熱に対する解決能力を備えないと確定するステップと、を含む
ことを特徴とするユーザ機器の過熱保護方法。
【請求項２】
第２シグナリングには、過熱時にユーザ機器が一時的なユーザ機器能力を報告するように指示する指示情報が含まれる
ことを特徴とする請求項１に記載の方法。
【請求項３】
前記基地局がユーザ機器の過熱に対する解決能力を備えると確定する場合、無線リンク構成が高過ぎて前記ユーザ機器が過熱すると、無線リンク構成を調整するための第３シグナリングを前記基地局に送信し、前記第３シグナリングには、前記基地局がユーザ機器の過熱問題を解決するように指示する補助情報が含まれるステップをさらに含む
ことを特徴とする請求項１に記載の方法。
【請求項４】
補助情報は、
過熱によるパフォーマンス低下の指示情報、及び／又は、過熱によるユーザ機器カテゴリーで表される一時的なユーザ機器能力、及び／又は、過熱による無線周波数パラメータで表される一時的なユーザ機器能力を含む
ことを特徴とする請求項３に記載の方法。
【請求項５】
前記第２シグナリングから過熱防止タイマーの期間の長さを解析し取得するステップと、
前記期間の長さに基づいて、前記第３シグナリングを送信した後に無線リンク構成を調整するためのシグナリングを基地局に再度送信する送信時間を確定するステップと、をさらに含む
ことを特徴とする請求項３に記載の方法。
【請求項６】
基地局に応用されるユーザ機器の過熱保護方法であって、前記方法は、
ユーザ機器が送信した第１シグナリングを受信し、前記第１シグナリングには、ユーザ機器が一時的なユーザ機器能力を報告する能力を備える指示情報が含まれるステップと、
前記基地局がユーザ機器の過熱に対する解決能力をサポートする場合、第２シグナリングを生成し、前記第２シグナリングには、過熱時にユーザ機器が一時的なユーザ機器能力を報告するように指示する指示情報が含まれるステップと、
前記第２シグナリングを送信するステップと、を含む
ことを特徴とするユーザ機器の過熱保護方法。
【請求項７】
前記第２シグナリングには、過熱防止タイマーの期間の長さが更に含まれる
ことを特徴とする請求項６に記載の方法。
【請求項８】
前記基地局がユーザ機器の過熱に対する解決能力をサポートしない場合、前記第２シグナリングを前記ユーザ機器に送信することを拒絶するステップをさらに含む
ことを特徴とする請求項６に記載の方法。
【請求項９】
前記ユーザ機器が送信した第３シグナリングを受信するステップと、
前記第３シグナリングからユーザ機器の過熱問題を解決するように指示する補助情報を解析するステップと、
前記補助情報に基づいて、前記ユーザ機器の無線リンク構成を調整するステップと、をさらに含む
ことを特徴とする請求項６に記載の方法。
【請求項１０】
前記補助情報は、
過熱によるパフォーマンス低下の指示情報、及び／又は、過熱によるユーザ機器カテゴリーで表される一時的なユーザ機器能力、及び／又は、過熱による無線周波数パラメータで表される一時的なユーザ機器能力を含む
ことを特徴とする請求項９に記載の方法。
【請求項１１】
ユーザ機器の過熱に対する解決能力を備えるユーザ機器に応用されるユーザ機器の過熱保護装置であって、前記装置は、
第１シグナリングを基地局に送信し、前記第１シグナリングには、ユーザ機器が一時的なユーザ機器能力を報告する能力を備える指示情報が含まれるように構成される第１送信モジュールと、
プリセット期間内に前記基地局が前記第１シグナリングに基づいて第２シグナリングを返すか否かをモニタリングするように構成されるモニタリングモジュールと、
モニタリング結果に基づいて、基地局がユーザ機器の過熱に対する解決能力を備えるか否かを確定するように構成される第１確定モジュールと、を含み、
前記第１確定モジュールは、
モニタリング結果が前記第２シグナリングがモニタリングされたことを示す場合、前記基地局がユーザ機器の過熱に対する解決能力を備えると確定するように構成される第１確定サブモジュールと、
モニタリング結果が前記第２シグナリングがモニタリングされないことを示す場合、前記基地局がユーザ機器の過熱に対する解決能力を備えないと確定するように構成される第２確定サブモジュールと、を含む
ことを特徴とするユーザ機器の過熱保護装置。
【請求項１２】
前記第２シグナリングには、過熱時にユーザ機器が一時的なユーザ機器能力を報告するように指示する指示情報が含まれる
ことを特徴とする請求項１１に記載の装置。
【請求項１３】
前記基地局がユーザ機器の過熱に対する解決能力を備えると確定する場合、無線リンク構成が高過ぎて前記ユーザ機器が過熱すると、無線リンク構成を調整するための第３シグナリングを前記基地局に送信し、前記第３シグナリングには、前記基地局がユーザ機器の過熱問題を解決するように指示する補助情報が含まれる第２送信モジュールをさらに含む
ことを特徴とする請求項１１に記載の装置。
【請求項１４】
前記補助情報は、
過熱によるパフォーマンス低下の指示情報、及び／又は、過熱によるユーザ機器カテゴリーで表される一時的なユーザ機器能力、及び／又は、過熱による無線周波数パラメータで表される一時的なユーザ機器能力を含む
ことを特徴とする請求項１３に記載の装置。
【請求項１５】
前記第２シグナリングから過熱防止タイマーの期間の長さを解析し取得する第１解析モジュールと、
前記期間の長さに基づいて、前記第３シグナリングを送信した後に無線リンク構成を調整するためのシグナリングを基地局に再度送信する送信時間を確定する第２確定モジュールと、をさらに含む
ことを特徴とする請求項１３に記載の装置。
【請求項１６】
基地局に応用されるユーザ機器の過熱保護装置であって、前記装置は、
ユーザ機器が送信した第１シグナリングを受信し、前記第１シグナリングには、ユーザ機器が一時的なユーザ機器能力を報告する能力を備える指示情報が含まれるように構成される第１受信モジュールと、
前記基地局がユーザ機器の過熱に対する解決能力をサポートする場合、第２シグナリングを生成し、前記第２シグナリングには、過熱時にユーザ機器が一時的なユーザ機器能力を報告するように指示する指示情報が含まれるように構成される生成モジュールと、
前記第２シグナリングを送信するように構成される第３送信モジュールと、を含む
ことを特徴とするユーザ機器の過熱保護装置。
【請求項１７】
前記第２シグナリングには、過熱防止タイマーの期間の長さが更に含まれる
ことを特徴とする請求項１６に記載の装置。
【請求項１８】
前記基地局がユーザ機器の過熱に対する解決能力をサポートしない場合、前記第２シグナリングを前記ユーザ機器に送信することを拒絶するように構成される拒絶応答モジュールをさらに含む
ことを特徴とする請求項１６に記載の装置。
【請求項１９】
前記ユーザ機器が送信した第３シグナリングを受信するように構成される第２受信モジュールと、
前記第３シグナリングからユーザ機器の過熱問題を解決するように指示する補助情報を解析するように構成される第２解析モジュールと、
前記補助情報に基づいて、前記ユーザ機器の無線リンク構成を調整するように構成される調整モジュールと、をさらに含む
ことを特徴とする請求項１６に記載の装置。
【請求項２０】
前記補助情報は、
過熱によるパフォーマンス低下の指示情報、及び／又は、過熱によるユーザ機器カテゴリーで表される一時的なユーザ機器能力、及び／又は、過熱による無線周波数パラメータで表される一時的なユーザ機器能力を含む
ことを特徴とする請求項１９に記載の装置。
【請求項２１】
プロセッサーと、
前記プロセッサーにより実行可能な命令を記憶するためのメモリと、を含み、
前記プロセッサーは、
第１シグナリングを基地局に送信し、前記第１シグナリングには、ユーザ機器が一時的なユーザ機器能力を報告する能力を備える指示情報が含まれ、
プリセット期間内に前記基地局が前記第１シグナリングに基づいて第２シグナリングを返すか否かをモニタリングし、
モニタリング結果に基づいて、基地局がユーザ機器の過熱に対する解決能力を備えるか否かを確定するように構成され、
前記モニタリング結果に基づいて、基地局がユーザ機器の過熱に対する解決能力を備えるか否かを確定することは、
モニタリング結果が前記第２シグナリングがモニタリングされたことを示す場合、前記基地局がユーザ機器の過熱に対する解決能力を備えると確定することと、
モニタリング結果が前記第２シグナリングがモニタリングされないことを示す場合、前記基地局がユーザ機器の過熱に対する解決能力を備えないと確定することと、を含む
ことを特徴とするユーザ機器。
【請求項２２】
プロセッサーと、
前記プロセッサーにより実行可能な命令を記憶するためのメモリと、を含み、
前記プロセッサーは、
ユーザ機器が送信した第１シグナリングを受信し、前記第１シグナリングには、ユーザ機器が一時的なユーザ機器能力を報告する能力を備える指示情報が含まれ、
前記基地局がユーザ機器の過熱に対する解決能力をサポートする場合、第２シグナリングを生成し、前記第２シグナリングには、過熱時にユーザ機器が一時的なユーザ機器能力を報告するように指示する指示情報が含まれ、
前記第２シグナリングを送信するように構成される
ことを特徴とする基地局。
【請求項２３】
コンピュータ命令を記憶している非一時的なコンピュータ読み取り可能な記憶媒体であって、前記命令がプロセッサーにより実行される場合、以下のステップを実現し、
第１シグナリングを基地局に送信し、前記第１シグナリングには、ユーザ機器が一時的なユーザ機器能力を報告する能力を備える指示情報が含まれ、
プリセット期間内に前記基地局が前記第１シグナリングに基づいて第２シグナリングを返すか否かをモニタリングし、
モニタリング結果に基づいて、基地局がユーザ機器の過熱に対する解決能力を備えるか否かを確定し、
前記モニタリング結果に基づいて、基地局がユーザ機器の過熱に対する解決能力を備えるか否かを確定することは、
モニタリング結果が前記第２シグナリングがモニタリングされたことを示す場合、前記基地局がユーザ機器の過熱に対する解決能力を備えると確定することと、
モニタリング結果が前記第２シグナリングがモニタリングされないことを示す場合、前記基地局がユーザ機器の過熱に対する解決能力を備えないと確定することと、を含む
ことを特徴とする非一時的なコンピュータ読み取り可能な記憶媒体。
【請求項２４】
コンピュータ命令を記憶している非一時的なコンピュータ読み取り可能な記憶媒体であって、前記命令がプロセッサーにより実行される場合、以下のステップを実現し、
ユーザ機器が送信した第１シグナリングを受信し、前記第１シグナリングには、ユーザ機器が一時的なユーザ機器能力を報告する能力を備える指示情報が含まれ、
前記基地局がユーザ機器の過熱に対する解決能力をサポートする場合、第２シグナリングを生成し、前記第２シグナリングには、過熱時にユーザ機器が一時的なユーザ機器能力を報告するように指示する指示情報が含まれ、
前記第２シグナリングを送信する
ことを特徴とする非一時的なコンピュータ読み取り可能な記憶媒体。
【発明の詳細な説明】
【技術分野】
【０００１】
本開示は、無線通信技術分野に関し、特に、ユーザ機器の過熱保護方法、装置、ユーザ機器及び基地局に関する。
【背景技術】
【０００２】
ロングタームエボリューション（Ｌｏｎｇ  Ｔｅｒｍ  Ｅｖｏｌｕｔｉｏｎ、単にＬＴＥと呼ぶ）システムにおいて、高速データ伝送に対するユーザの要求を満たすように、ユーザ機器（Ｕｓｅｒ  Ｅｑｕｉｐｍｅｎｔ、単にＵＥと呼ぶ）のために高次マルチ入力マルチ出力（Ｍｕｌｔｉｐｌｅ−Ｉｎｐｕｔ  Ｍｕｌｔｉｐｌｅ−Ｏｕｔｐｕｔ、単にＭＩＭＯと呼ぶ）、マルチキャリアアグリゲーション、又は高次変調及び復号化などの無線伝送モードを設置することができる。しかしながら、このような高速無線伝送モードによりＵＥが過熱してさらにＵＥのサービスデータ伝送の中断、ひいては機器の再起動などの問題を引き起こす可能性がある。
【０００３】
関連技術において、ユーザがＵＥを使用する際の体験を確保するために、ＵＥのサプライヤーは、一般的に、携帯電話に対して温度制御を行い、例えば、ＵＥがデタッチ及び再アタッチにより無線リンク構成を削減するように制御してＵＥの過熱を回避することができる。関連技術において、ＵＥは、デタッチ及び再アタッチのプロセスにおいてサービスデータ伝送の中断を引き起こし、ユーザの使用体験を低下させる。
【発明の概要】
【発明が解決しようとする課題】
【０００４】
関連技術に存在する問題を解決するために、本開示の実施例は、ユーザ機器の過熱保護方法、装置、ユーザ機器及び基地局を提供することにより、基地局とユーザ機器との間にシグナリングのインタラクティブにより互いにＵＥ過熱に対する解決能力を備えるか否かを確定することを実現し、さらにユーザ機器とアクセスされる基地局の両方がＵＥ過熱に対する解決能力を備える場合に、基地局によりサービスデータ伝送を中断することなく、ユーザ機器の温度を低減することを実現する。
【課題を解決するための手段】
【０００５】
本開示の実施例の第１態様によれば、ユーザ機器の過熱に対する解決能力を備えるユーザ機器に応用されるユーザ機器の過熱保護方法を提供し、前記方法は、
第１シグナリングを基地局に送信し、前記第１シグナリングには、ユーザ機器が一時的なユーザ機器能力を報告する能力を備える指示情報が含まれるステップと、
プリセット期間内に前記基地局が前記第１シグナリングに基づいて第２シグナリングを返すか否かをモニタリングするステップと、
モニタリング結果に基づいて、基地局がユーザ機器の過熱に対する解決能力を備えるか否かを確定するステップと、を含む。
【０００６】
一実施例において、モニタリング結果に基づいて、基地局がユーザ機器の過熱に対する解決能力を備えるか否かを確定するステップは、
モニタリング結果が前記第２シグナリングがモニタリングされたことを示す場合、前記基地局がユーザ機器の過熱に対する解決能力を備えると確定するステップと、
モニタリング結果が前記第２シグナリングがモニタリングされないことを示す場合、前記基地局がユーザ機器の過熱に対する解決能力を備えないと確定するステップと、を含む。
【０００７】
一実施例において、第２シグナリングには、過熱時にユーザ機器が一時的なユーザ機器能力を報告するように指示する指示情報が含まれる。
【０００８】
一実施例において、前記方法は、
前記基地局がユーザ機器の過熱に対する解決能力を備えると確定する場合、無線リンク構成が高過ぎて前記ユーザ機器が過熱すると、無線リンク構成を調整するための第３シグナリングを前記基地局に送信し、前記第３シグナリングには、前記基地局がユーザ機器の過熱問題を解決するように指示する補助情報が含まれるステップをさらに含む。
【０００９】
一実施例において、補助情報は、
過熱によるパフォーマンス低下の指示情報、及び／又は、過熱によるユーザ機器カテゴリーで表される一時的なユーザ機器能力、及び／又は、過熱による無線周波数パラメータで表される一時的なユーザ機器能力を含む。
【００１０】
一実施例において、前記方法は、
前記第２シグナリングから前記過熱防止タイマーの期間の長さを解析し取得するステップと、
前記期間の長さに基づいて、前記第３シグナリングを送信した後に無線リンク構成を調整するためのシグナリングを基地局に再度送信する送信時間を確定するステップと、をさらに含む。
【００１１】
本開示の実施例の第２態様によれば、基地局に応用されるユーザ機器の過熱保護方法を提供し、前記方法は、
ユーザ機器が送信した第１シグナリングを受信し、前記第１シグナリングには、ユーザ機器が一時的なユーザ機器能力を報告する能力を備える指示情報が含まれるステップと、
前記基地局がユーザ機器の過熱に対する解決能力をサポートする場合、第２シグナリングを生成し、前記第２シグナリングには、過熱時にユーザ機器が一時的なユーザ機器能力を報告するように指示する指示情報が含まれるステップと、
前記第２シグナリングを送信するステップと、を含む。
【００１２】
一実施例において、前記第２シグナリングには、過熱防止タイマーの期間の長さが更に含まれる。
【００１３】
一実施例において、前記方法は、
前記基地局がユーザ機器の過熱に対する解決能力をサポートしない場合、前記第２シグナリングを前記ユーザ機器に送信することを拒絶するステップをさらに含む。
【００１４】
一実施例において、前記方法は、
前記ユーザ機器が送信した第３シグナリングを受信するステップと、
前記第３シグナリングからユーザ機器の過熱問題を解決するように指示する補助情報を解析するステップと、
前記補助情報に基づいて、前記ユーザ機器の無線リンク構成を調整するステップと、をさらに含む。
【００１５】
一実施例において、補助情報は、
過熱によるパフォーマンス低下の指示情報、及び／又は、過熱によるユーザ機器カテゴリーで表される一時的なユーザ機器能力、及び／又は、過熱による無線周波数パラメータで表される一時的なユーザ機器能力を含む。
【００１６】
本開示の実施例の第３態様によれば、ユーザ機器の過熱に対する解決能力を備えるユーザ機器に応用されるユーザ機器の過熱保護装置を提供し、前記装置は、
第１シグナリングを基地局に送信し、前記第１シグナリングには、ユーザ機器が一時的なユーザ機器能力を報告する能力を備える指示情報が含まれるように構成される第１送信モジュールと、
プリセット期間内に前記基地局が前記第１シグナリングに基づいて第２シグナリングを返すか否かをモニタリングするように構成されるモニタリングモジュールと、
モニタリング結果に基づいて、基地局がユーザ機器の過熱に対する解決能力を備えるか否かを確定するように構成される第１確定モジュールと、を含む。
【００１７】
一実施例において、第１確定モジュールは、
モニタリング結果が前記第２シグナリングがモニタリングされたことを示す場合、前記基地局がユーザ機器の過熱に対する解決能力を備えると確定するように構成される第１確定サブモジュールと、
モニタリング結果が前記第２シグナリングがモニタリングされないことを示す場合、前記基地局がユーザ機器の過熱に対する解決能力を備えないと確定するように構成される第２確定サブモジュールと、を含む。
【００１８】
一実施例において、第２シグナリングには、過熱時にユーザ機器が一時的なユーザ機器能力を報告するように指示する指示情報が含まれる。
【００１９】
一実施例において、前記装置は、
前記基地局がユーザ機器の過熱に対する解決能力を備えると確定する場合、無線リンク構成が高過ぎて前記ユーザ機器が過熱すると、無線リンク構成を調整するための第３シグナリングを前記基地局に送信し、前記第３シグナリングには、前記基地局がユーザ機器の過熱問題を解決するように指示する補助情報が含まれる第２送信モジュールをさらに含む。
【００２０】
一実施例において、補助情報は、
過熱によるパフォーマンス低下の指示情報、及び／又は、過熱によるユーザ機器カテゴリーで表される一時的なユーザ機器能力、及び／又は、過熱による無線周波数パラメータで表される一時的なユーザ機器能力を含む。
【００２１】
一実施例において、前記装置は、
前記第２シグナリングから前記過熱防止タイマーの期間の長さを解析し取得する第１解析モジュールと、
前記期間の長さに基づいて、前記第３シグナリングを送信した後に無線リンク構成を調整するためのシグナリングを基地局に再度送信する送信時間を確定する第２確定モジュールと、をさらに含む。
【００２２】
本開示の実施例の第４態様によれば、基地局に応用されるユーザ機器の過熱保護装置を提供し、前記装置は、
ユーザ機器が送信した第１シグナリングを受信し、前記第１シグナリングには、ユーザ機器が一時的なユーザ機器能力を報告する能力を備える指示情報が含まれるように構成される第１受信モジュールと、
前記基地局がユーザ機器の過熱に対する解決能力をサポートする場合、第２シグナリングを生成し、前記第２シグナリングには、過熱時にユーザ機器が一時的なユーザ機器能力を報告するように指示する指示情報が含まれるように構成される生成モジュールと、
前記第２シグナリングを送信するように構成される第３送信モジュールと、を含む。
一実施例において、前記第２シグナリングには、過熱防止タイマーの期間の長さが更に含まれる。
【００２３】
一実施例において、前記装置は、
前記基地局がユーザ機器の過熱に対する解決能力をサポートしない場合、前記第２シグナリングを前記ユーザ機器に送信することを拒絶するように構成される拒絶応答モジュールをさらに含む。
【００２４】
一実施例において、前記装置は、
前記ユーザ機器が送信した第３シグナリングを受信するように構成される第２受信モジュールと、
前記第３シグナリングからユーザ機器の過熱問題を解決するように指示する補助情報を解析するように構成される第２解析モジュールと、
前記補助情報に基づいて、前記ユーザ機器の無線リンク構成を調整するように構成される調整モジュールと、をさらに含む。
【００２５】
一実施例において、補助情報は、
過熱によるパフォーマンス低下の指示情報、及び／又は、過熱によるユーザ機器カテゴリーで表される一時的なユーザ機器能力、及び／又は、過熱による無線周波数パラメータで表される一時的なユーザ機器能力を含む。
【００２６】
本開示の実施例の第５態様によれば、ユーザ機器を提供し、前記ユーザ機器は、
プロセッサーと、
前記プロセッサーにより実行可能な命令を記憶するためのメモリと、を含み、
前記プロセッサーは、
第１シグナリングを基地局に送信し、前記第１シグナリングには、ユーザ機器が一時的なユーザ機器能力を報告する能力を備える指示情報が含まれ、
プリセット期間内に前記基地局が前記第１シグナリングに基づいて第２シグナリングを返すか否かをモニタリングし、
モニタリング結果に基づいて、基地局がユーザ機器の過熱に対する解決能力を備えるか否かを確定するように構成される。
【００２７】
本開示の実施例の第６態様によれば、基地局を提供し、前記基地局は、
プロセッサーと、
前記プロセッサーにより実行可能な命令を記憶するためのメモリと、を含み、
前記プロセッサーは、
ユーザ機器が送信した第１シグナリングを受信し、前記第１シグナリングには、ユーザ機器が一時的なユーザ機器能力を報告する能力を備える指示情報が含まれ、
前記基地局がユーザ機器の過熱に対する解決能力をサポートする場合、第２シグナリングを生成し、前記第２シグナリングには、過熱時にユーザ機器が一時的なユーザ機器能力を報告するように指示する指示情報が含まれ、
前記第２シグナリングを送信するように構成される。
【００２８】
本開示の実施例の第７態様によれば、コンピュータ命令を記憶している非一時的なコンピュータ読み取り可能な記憶媒体を提供し、前記命令がプロセッサーにより実行される場合、以下のステップを実現する。
【００２９】
第１シグナリングを基地局に送信し、前記第１シグナリングには、ユーザ機器が一時的なユーザ機器能力を報告する能力を備える指示情報が含まれ、
プリセット期間内に前記基地局が前記第１シグナリングに基づいて第２シグナリングを返すか否かをモニタリングし、
モニタリング結果に基づいて、基地局がユーザ機器の過熱に対する解決能力を備えるか否かを確定する。
【００３０】
本開示の実施例の第８態様によれば、コンピュータ命令を記憶している非一時的なコンピュータ読み取り可能な記憶媒体を提供し、前記命令がプロセッサーにより実行される場合、以下のステップを実現する。
【００３１】
ユーザ機器が送信した第１シグナリングを受信し、前記第１シグナリングには、ユーザ機器が一時的なユーザ機器能力を報告する能力を備える指示情報が含まれ、
前記基地局がユーザ機器の過熱に対する解決能力をサポートする場合、第２シグナリングを生成し、前記第２シグナリングには、過熱時にユーザ機器が一時的なユーザ機器能力を報告するように指示する指示情報が含まれ、
前記第２シグナリングを送信する。
【発明の効果】
【００３２】
本開示の実施例が提供する技術的案によれば、下記のような技術効果を含むことができる。
【００３３】
即ち、ＵＥ過熱に対する解決能力を備えるユーザ機器は、第１シグナリングを基地局に送信し、第１シグナリングには、ユーザ機器が一時的なユーザ機器能力を報告する能力を備える指示情報が含まれ、且つ、プリセット期間内のモニタリング結果に基づいて、基地局がユーザ機器の過熱に対する解決能力を備えるか否かを確定することができることにより、基地局とユーザ機器との間にシグナリングのインタラクティブにより互いにＵＥ過熱に対する解決能力を備えるか否かを確定することを実現し、さらにユーザ機器とアクセスされる基地局の両方がＵＥ過熱に対する解決能力を備える場合に、基地局によりサービスデータ伝送を中断することなく、ユーザ機器の温度を低減することを実現する。
【００３４】
理解するのは、上記の一般的な説明と後述する詳細な説明は、単に例示的で解釈的なものであり、本開示を限定するものではない。
【図面の簡単な説明】
【００３５】
ここでの図面は、明細書に併合されて本明細書の一部を構成し、本発明に合致する実施例を示し、明細書と一緒に本発明の原理を解釈する。
【図１Ａ】一例示的な実施例によるユーザ機器の過熱保護方法のフローチャートである。
【図１Ｂ】一例示的な実施例によるユーザ機器の過熱保護方法のシーングラフである。
【図２】一例示的な実施例による他のユーザ機器の過熱保護方法のフローチャートである。
【図３】一例示的な実施例によるユーザ機器の過熱保護方法のフローチャートである。
【図４】一例示的な実施例による他のユーザ機器の過熱保護方法のフローチャートである。
【図５】一例示的な実施例による基地局とユーザ機器とのインタラクティブによりユーザ機器の過熱保護を実現する方法のフローチャートである。
【図６】一例示的な実施例によるユーザ機器の過熱保護装置のブロック図である。
【図７】一例示的な実施例による他のユーザ機器の過熱保護装置のブロック図である。
【図８】一例示的な実施例によるユーザ機器の過熱保護装置のブロック図である。
【図９】一例示的な実施例による他のユーザ機器の過熱保護装置のブロック図である。
【図１０】一例示的な実施例によるユーザ機器に適用される過熱保護装置のブロック図である。
【図１１】一例示的な実施例によるユーザ機器に適用される過熱保護装置のブロック図である。
【発明を実施するための形態】
【００３６】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施態様は、本発明と一致する全ての実施態様を代表するものではない。逆に、それらは、特許請求の範囲に記載の本発明のある方面に一致する装置及び方法の例に過ぎない。
【００３７】
図１Ａは、一例示的な実施例によるユーザ機器の過熱保護方法のフローチャートであり、図１Ｂは、一例示的な実施例によるユーザ機器の過熱保護方法のシーングラフであり、当該ユーザ機器の過熱保護方法は、ユーザ機器に応用可能であり、図１Ａに示すように、当該ユーザ機器の過熱保護方法は、以下のステップ１０１〜１０３を含む。
【００３８】
ステップ１０１において、第１シグナリングを基地局に送信し、第１シグナリングには、ユーザ機器が一時的なユーザ機器能力を報告する能力を備える指示情報が含まれる。
【００３９】
一実施例において、第１シグナリングは、ＵＥがＵＥがサポートするネットワーク能力を報告するＵＥ−ＥＵＴＲＡ−Ｃａｐａｂｉｌｉｔｙシグナリングにおける他のパラメータＯｔｈｅｒ−Ｐａｒａｍｅｔｅｒｓ−ｖ１４ｘｙシグナリングであってもよく、Ｏｔｈｅｒ−Ｐａｒａｍｅｔｅｒｓ−ｖ１４ｘｙシグナリングに一時的なＵＥ能力指示情報ｔｅｍｐＵＥＣａｐａｂｉｌｉｔｙ−ｒ１４を追加することにより、ユーザ機器が一時的なユーザ機器能力を報告する能力を備えることを指示する。一実施例において、この一時的なユーザ機器能力は、過熱時にＵＥが一時的にサポートするネットワーク能力であることが理解される。第１シグナリングは、以下のコードを参照してもよい。
Ｏｔｈｅｒ−Ｐａｒａｍｅｔｅｒｓ−ｖ１４ｘｙ  ：：＝  ＳＥＱＵＥＮＣＥ  ｛
ｂｗＰｒｅｆＩｎｄ−ｒ１４  ＥＮＵＭＥＲＡＴＥＤ  ｛ｓｕｐｐｏｒｔｅｄ｝  ＯＰＴＩＯＮＡＬ
ｔｅｍｐＵＥＣａｐａｂｉｌｉｔｙ−ｒ１４  ＥＮＵＭＥＲＡＴＥＤ  ｛ｓｕｐｐｏｒｔｅｄ｝  ＯＰＴＩＯＮＡＬ
｝
ステップ１０２において、プリセット期間内に基地局が第１シグナリングに基づいて第２シグナリングを返すか否かをモニタリングする。
【００４０】
一実施例において、プリセット期間は、タイムの長さがプリセット期間であるプリセットタイマーにより確定されてもよく、要求メッセージを送信してから当該プリセットタイマーを起動し、且つ、プリセットタイマーがタイムアウトする前に応答メッセージを受信したか否かをモニタリングする。
【００４１】
一実施例において、第２シグナリングは、無線リソース制御（Ｒａｄｉｏ  Ｒｅｓｏｕｒｃｅ  Ｃｏｎｔｒｏｌ、単にＲＲＣと呼ぶ）接続再配置ＲＲＣＣｏｎｎｅｃｔｉｏｎＲｅｃｏｎｆｉｇｕｒａｔｉｏｎシグナリングにおける他の配置ＯｔｈｅｒＣｏｎｆｉｇシグナリングのうちのシグナリングであってもよく、例えば、一時的なＵＥ能力配置シグナリングｔｅｍｐＵＥＣａｐａｂｉｌｉｔｙＣｏｎｆｉｇ−ｒ１４と命名されてもよく、ｔｅｍｐＵＥＣａｐａｂｉｌｉｔｙＣｏｎｆｉｇ−ｒ１４シグナリングにより、過熱の問題が発生した場合にユーザ機器が一時的なＵＥ能力を報告できるように指示し、即ち、当該ｔｅｍｐＵＥＣａｐａｂｉｌｉｔｙＣｏｎｆｉｇ−ｒ１４シグナリングによりユーザ機器に対して基地局がユーザ機器の過熱に対する解決能力を備えることを指示することができる。
【００４２】
一実施例において、基地局は、ｔｅｍｐＵＥＣａｐａｂｉｌｉｔｙＣｏｎｆｉｇ−ｒ１４シグナリングに過熱防止タイマー及びタイマーの期間の長さｏｖｅｒｈｅａｔｉｎｇＩｎｄｉｃａｔｉｏｎＴｉｍｅｒ−ｒ１４を含むこともできる。ユーザ機器は、第２シグナリングを受信した後、当該第２シグナリングから過熱防止タイマーの期間の長さを解析し取得し、且つ、過熱時に無線リンク構成を調整するための第３シグナリングを送信してから当該過熱防止タイマーを起動し、さらに無線リンク構成を調整するためのシグナリングを再度送信する送信時間を確定することができる。例えば、タイマーがタイムアウトした後にユーザ機器が依然として過熱する場合、タイマーのタイムアウト時間を無線リンク構成を調整するためのシグナリングを再度送信する送信時間として確定することにより、ユーザ機器が無線リンク構成を調整するためのシグナリングを過度頻繁に送信することを回避することができる。第２シグナリングは、以下のコードを参照してもよい。
ＯｔｈｅｒＣｏｎｆｉｇ−ｒ９  ：：＝  ＳＥＱＵＥＮＣＥ｛
［［ｂｗ−Ｃｏｎｆｉｇ−ｒ１４  ＢＷ−Ｃｏｎｆｉｇ−ｒ１４  ＯＰＴＩＯＮＡＬ，−  Ｎｅｅｄ  ＯＮ
帯域幅配置
ｓｐｓ−ＡｓｓｉｓｔａｎｃｅＩｎｆｏＲｅｐｏｒｔ−ｒ１４  ＥＮＵＭＥＲＡＴＥＤ  ｛ａｌｌｏｗｅｄ｝  ＯＰＴＩＯＮＡＬ，
ＳＰＳ補助情報報告                −−  Ｎｅｅｄ  ＯＮ
ｄｅｌａｙＢｕｄｇｅｔＲｅｐｏｒｔｉｎｇＣｏｎｆｉｇ−ｒ１４    ＤｅｌａｙＢｕｄｇｅｔＲｅｐｏｒｔｉｎｇＣｏｎｆｉｇ−ｒ１４                            
遅延予算報告配置                      ＯＰＴＩＯＮＡＬ  −−  Ｎｅｅｄ  ＯＮ
ｔｅｍｐＵＥＣａｐａｂｉｌｉｔｙＣｏｎｆｉｇ−ｒ１４    ＴｅｍｐＵＥＣａｐａｂｉｌｉｔｙＣｏｎｆｉｇ−ｒ１４                            
一時的なＵＥ能力配置                  ＯＰＴＩＯＮＡＬ−−  Ｎｅｅｄ  ＯＮ
］］
ｔｅｍｐＵＥＣａｐａｂｉｌｉｔｙＣｏｎｆｉｇ−ｒ１４  ：：＝  ＣＨＯＩＣＥ｛
ｒｅｌｅａｓｅ  ＮＵＬＬ，
解放
ｓｅｔｕｐ  ＳＥＱＵＥＮＣＥ｛
確立
ｏｖｅｒｈｅａｔｉｎｇＩｎｄｉｃａｔｉｏｎＴｉｍｅｒ−ｒ１４  ＥＮＵＭＥＲＡＴＥＤ  ｛ｓ０，ｓ０ｄｏｔ５，ｓ１，ｓ２，ｓ５，ｓ１０，ｓ２０，ｓ３０，ｓ６０，ｓ９０，ｓ１２０，ｓ３００，ｓ６００，ｓｐａｒｅ３，ｓｐａｒｅ２，ｓｐａｒｅ１｝
過熱防止タイマー  
｝
｝
｝
ステップ１０３において、モニタリング結果に基づいて、基地局がユーザ機器の過熱に対する解決能力を備えるか否かを確定する。
【００４３】
一実施例において、モニタリング結果が第２シグナリングがモニタリングされたことを示す場合、基地局もユーザ機器の過熱に対する解決能力を備えると確定することができる。他の実施例において、モニタリング結果が第２シグナリングがモニタリングされないことを示す場合、基地局がユーザ機器の過熱に対する解決能力を備えないと確定することができる。
【００４４】
一例示的なシーンにおいて、図１Ｂに示すように、図１Ｂに示すシーンにおいて、基地局１０及びユーザ機器（例えばスマートフォン、タブレットなど）２０が含まれる。ここで、ユーザ機器２０は、ＵＥ過熱に対する解決能力を備える場合に、第１シグナリングを基地局１０に送信でき、第１シグナリングには、ユーザ機器２０が一時的なユーザ機器能力を報告する能力を備える指示情報が含まれ、基地局２０は、ＵＥ過熱に対する解決能力も備える場合には、第２シグナリングをユーザ機器２０に送信でき、そうでない場合には応答しないことにより、基地局とユーザ機器との間にシグナリングのインタラクティブにより互いにＵＥ過熱に対する解決能力を備えるか否かを確定することを実現する。
【００４５】
本実施例は、上記のステップ１０１〜ステップ１０３により、基地局とユーザ機器との間にシグナリングのインタラクティブにより互いにＵＥ過熱に対する解決能力を備えるか否かを確定することを実現し、さらにユーザ機器とアクセスされる基地局の両方がＵＥ過熱に対する解決能力を備える場合に、基地局によりサービスデータ伝送を中断することなく、ユーザ機器の温度を低減することを実現することができる。
【００４６】
一実施例において、モニタリング結果に基づいて、基地局がユーザ機器の過熱に対する解決能力を備えるか否かを確定するステップは、
モニタリング結果が第２シグナリングがモニタリングされたことを示す場合、基地局がユーザ機器の過熱に対する解決能力を備えると確定するステップと、
モニタリング結果が第２シグナリングがモニタリングされないことを示す場合、基地局がユーザ機器の過熱に対する解決能力を備えないと確定するステップと、を含む。
【００４７】
一実施例において、第２シグナリングには、過熱時にユーザ機器が一時的なユーザ機器能力を報告するように指示する指示情報が含まれる。
【００４８】
一実施例において、ユーザ機器の過熱保護方法は、
基地局がユーザ機器の過熱に対する解決能力を備えると確定する場合、無線リンク構成が高過ぎてユーザ機器が過熱すると、無線リンク構成を調整するための第３シグナリングを基地局に送信し、第３シグナリングには、基地局がユーザ機器の過熱問題を解決するように指示する補助情報が含まれるステップをさらに含むことができる。
【００４９】
一実施例において、補助情報は、
過熱によるパフォーマンス低下の指示情報、及び／又は、過熱によるユーザ機器カテゴリーで表される一時的なユーザ機器能力、及び／又は、過熱による無線周波数パラメータで表される一時的なユーザ機器能力を含む。
【００５０】
一実施例において、ユーザ機器の過熱保護方法は、
第２シグナリングから過熱防止タイマーの期間の長さを解析し取得するステップと、
期間の長さに基づいて、第３シグナリングを送信した後に無線リンク構成を調整するためのシグナリングを基地局に再度送信する送信時間を確定するステップと、をさらに含むことができる。
【００５１】
具体的には如何にユーザ機器の過熱保護を実現するかは、下記の実施例を参照してもよい。
【００５２】
以下、具体的な実施例を用いて本開示の実施例で提供される技術的案を説明する。
【００５３】
図２は、一例示的な実施例による他のユーザ機器の過熱保護方法のフローチャートである。本実施例は、本開示の実施例で提供される上記の方法を用いて、如何にユーザ機器の過熱保護を実現することを例として例示的に説明するが、図２に示すように、以下のステップを含む。
【００５４】
ステップ２０１において、第１シグナリングを基地局に送信し、第１シグナリングには、ユーザ機器が一時的なユーザ機器能力を報告する能力を備える指示情報が含まれる。
【００５５】
ステップ２０２において、プリセット期間内に基地局が第１シグナリングに基づいて第２シグナリングを返すか否かをモニタリングする。
【００５６】
ステップ２０３において、モニタリング結果に基づいて、基地局がユーザ機器の過熱に対する解決能力を備えるか否かを確定し、基地局がユーザ機器の過熱に対する解決能力を備える場合、ステップ２０４を実行する。
【００５７】
一実施例において、モニタリング結果が第２シグナリングがモニタリングされたことを示す場合、基地局がユーザ機器の過熱に対する解決能力を備えると確定する。他の実施例において、モニタリング結果が第２シグナリングがモニタリングされないことを示す場合、基地局がユーザ機器の過熱に対する解決能力を備えないと確定する。
【００５８】
一実施例において、ステップ２０１〜ステップ２０３についての説明は、図１Ａに示す実施例のステップ１０１〜ステップ１０３の説明を参照してもよく、ここでは再び詳しく説明しない。
【００５９】
ステップ２０４において、基地局がユーザ機器の過熱に対する解決能力を備えると確定する場合、無線リンク構成が高過ぎてユーザ機器が過熱すると、無線リンク構成を調整するための第３シグナリングを基地局に送信する。
【００６０】
一実施例において、第３シグナリングは、ＵＥＡｓｓｉｓｔａｎｃｅＩｎｆｏｒｍａｔｉｏｎシグナリングであってもよい。一実施例において、第３シグナリングには、基地局がユーザ機器の過熱問題を解決するように指示する補助情報が含まれる。補助情報は、過熱によるパフォーマンス低下Ｌｏｗｅｒ−Ｐｅｒｆｏｒｍａｎｃｅの指示情報、及び／又は、過熱によるユーザ機器カテゴリーｕｅ−Ｃａｔｅｇｏｒｙで表される一時的なユーザ機器能力、及び／又は、過熱による無線周波数パラメータｒｆ−Ｐａｒａｍｅｔｅｒｓ−ｖ１４ｘｙで表される一時的なユーザ機器能力を含むことができる。第３シグナリングは、以下のコードを参照してもよい。
ＵＥＡｓｓｉｓｔａｎｃｅＩｎｆｏｒｍａｔｉｏｎ−ｒ１１  ：：＝ＳＥＱＵＥＮＣＥ  ｛
ＵＥ補助情報
ｃｒｉｔｉｃａｌＥｘｔｅｎｓｉｏｎｓ  ＣＨＯＩＣＥ  ｛
ｃ１  ＣＨＯＩＣＥ  ｛
ｕｅＡｓｓｉｓｔａｎｃｅＩｎｆｏｒｍａｔｉｏｎ−ｒ１１  ＵＥＡｓｓｉｓｔａｎｃｅＩｎｆｏｒｍａｔｉｏｎ−ｒ１１−ＩＥｓ，
ｓｐａｒｅ３  ＮＵＬＬ，ｓｐａｒｅ２  ＮＵＬＬ，ｓｐａｒｅ１  ＮＵＬＬ
｝，
ｃｒｉｔｉｃａｌＥｘｔｅｎｓｉｏｎｓＦｕｔｕｒｅ  ＳＥＱＵＥＮＣＥ  ｛｝
｝
｝
ＵＥＡｓｓｉｓｔａｎｃｅＩｎｆｏｒｍａｔｉｏｎ−ｒ１１−ＩＥｓ  ：：＝ＳＥＱＵＥＮＣＥ  ｛
ｐｏｗｅｒＰｒｅｆＩｎｄｉｃａｔｉｏｎ−ｒ１１  ＥＮＵＭＥＲＡＴＥＤ  ｛ｎｏｒｍａｌ，                                    
ｌｏｗＰｏｗｅｒＣｏｎｓｕｍｐｔｉｏｎ｝ＯＰＴＩＯＮＡＬ，
ｌａｔｅＮｏｎＣｒｉｔｉｃａｌＥｘｔｅｎｓｉｏｎ  ＯＣＴＥＴ  ＳＴＲＩＮＧ  ＯＰＴＩＯＮＡＬ，
ｎｏｎＣｒｉｔｉｃａｌＥｘｔｅｎｓｉｏｎ  ＵＥＡｓｓｉｓｔａｎｃｅＩｎｆｏｒｍａｔｉｏｎ−ｖ１４ｘｙ−ＩＥｓ
ＯＰＴＩＯＮＡＬ                                                                                                
｝
ＵＥＡｓｓｉｓｔａｎｃｅＩｎｆｏｒｍａｔｉｏｎ−ｖ１４ｘｙ−ＩＥｓ  ：：＝  ＳＥＱＵＥＮＣＥ｛
ｂｗ−Ｐｒｅｆｅｒｅｎｃｅ−ｒ１４  ＢＷ−Ｐｒｅｆｅｒｅｎｃｅ−ｒ１４
帯域幅期待                                            ＯＰＴＩＯＮＡＬ，
ｓｐｓ−ＡｓｓｉｓｔａｎｃｅＩｎｆｏｒｍａｔｉｏｎ−ｒ１４  ＳＰＳ−ＡｓｓｉｓｔａｎｃｅＩｎｆｏｒｍａｔｉｏｎ−ｒ１４              
ＳＰＳ補助情報                                        ＯＰＴＩＯＮＡＬ，
ｔｅｍｐ−ＵＥ−Ｃａｐａｂｉｌｉｔｙ−ｒ１４  Ｔｅｍｐ−ＵＥ−Ｃａｐａｂｉｌｉｔｙ−ｒ１４  ＯＰＴＩＯＮＡＬ
一時的なＵＥ能力
ｎｏｎＣｒｉｔｉｃａｌＥｘｔｅｎｓｉｏｎ  ＳＥＱＵＥＮＣＥ  ｛｝    ＯＰＴＩＯＮＡＬ
｝
Ｔｅｍｐ−ＵＥ−Ｃａｐａｂｉｌｉｔｙ−ｒ１４−ＩＥｓ  ：：＝  ＳＥＱＵＥＮＣＥ
｛
一時的なＵＥ能力
Ｌｏｗｅｒ−Ｐｅｒｆｏｒｍａｎｃｅ  ＢＯＯＬＥＡＮ    ＯＰＴＩＯＮＡＬ，
パフォーマンス低下
ｕｅ−Ｃａｔｅｇｏｒｙ  ＩＮＴＥＧＥＲ  （１．．５）    ＯＰＴＩＯＮＡＬ，
ＵＥカテゴリー
ｒｆ−Ｐａｒａｍｅｔｅｒｓ−ｖ１４ｘｙ  ＲＦ−Ｐａｒａｍｅｔｅｒｓ−ｖ１４ｘｙＯＰＴＩＯＮＡＬ，
無線周波数パラメータ
ｎｏｎＣｒｉｔｉｃａｌＥｘｔｅｎｓｉｏｎ  ＳＥＱＵＥＮＣＥ  ｛｝  ＯＰＴＩＯＮＡＬ
｝
ステップ２０５において、第２シグナリングから過熱防止タイマーの期間の長さを解析し取得し、期間の長さに基づいて、第３シグナリングを送信した後に無線リンク構成を調整するためのシグナリングを基地局に再度送信する送信時間を確定する。
【００６１】
一実施例において、第３シグナリングを送信してから過熱防止タイマーを起動でき、且つタイマーがタイムアウトした後にユーザ機器が依然として過熱する場合、タイマーのタイムアウト時間を無線リンク構成を調整するためのシグナリングを再度送信する送信時間として確定することができる。タイマーがタイムアウトする際にユーザ機器が過熱しなくなる場合、ユーザ機器が再度過熱する時間を無線リンク構成を調整するためのシグナリングを基地局に送信する送信時間として確定することができる。
【００６２】
一実施例において、過熱防止タイマーに基づいて、ユーザ機器が基地局に無線リンク構成を調整するためのシグナリングを頻繁に送信することによる、シグナリングリソースの浪費を回避することができる。
【００６３】
本実施例において、ユーザ機器が基地局もＵＥ過熱に対する解決能力をサポートすると確定する場合、過熱時に無線リンク構成を調整するためのシグナリングを基地局に送信し、基地局がＵＥ過熱に対する解決能力をサポートしない場合にもユーザ機器が無線リンク構成を調整するためのシグナリングを基地局に送信することによる、シグナリングリソースの浪費を回避することができ、また、過熱防止タイマーを設置することにより、ユーザ機器がシグナリングを基地局に頻繁に送信することによるシグナリングリソースの浪費を回避することができる。
【００６４】
図３は、一例示的な実施例によるユーザ機器の過熱保護方法のフローチャートであり、当該ユーザ機器の過熱保護方法は、基地局に応用可能であり、図３に示すように、当該ユーザ機器の過熱保護方法は、以下のステップ３０１〜３０３を含む。
【００６５】
ステップ３０１において、ユーザ機器が送信した第１シグナリングを受信し、第１シグナリングには、ユーザ機器が一時的なユーザ機器能力を報告する能力を備える指示情報が含まれる。
【００６６】
一実施例において、第１シグナリングは、ＵＥがＵＥがサポートするネットワーク能力を報告するＵＥ−ＥＵＴＲＡ−Ｃａｐａｂｉｌｉｔｙシグナリングにおける他のパラメータＯｔｈｅｒ−Ｐａｒａｍｅｔｅｒｓ−ｖ１４ｘｙシグナリングであってもよく、Ｏｔｈｅｒ−Ｐａｒａｍｅｔｅｒｓ−ｖ１４ｘｙシグナリングに一時的なＵＥ能力指示情報ｔｅｍｐＵＥＣａｐａｂｉｌｉｔｙ−ｒ１４を追加することにより、ユーザ機器が一時的なユーザ機器能力を報告する能力を備えることを指示する。一実施例において、この一時的なユーザ機器能力は、過熱時にＵＥが一時的にサポートするネットワーク能力であることが理解される。
【００６７】
ステップ３０２において、基地局がユーザ機器の過熱に対する解決能力をサポートする場合、第２シグナリングを生成し、第２シグナリングには、過熱時にユーザ機器が一時的なユーザ機器能力を報告するように指示する指示情報が含まれる。
【００６８】
一実施例において、第２シグナリングは、ＲＲＣ接続再配置ＲＲＣＣｏｎｎｅｃｔｉｏｎＲｅｃｏｎｆｉｇｕｒａｔｉｏｎシグナリングにおける他の配置ＯｔｈｅｒＣｏｎｆｉｇシグナリングのうちのシグナリングであってもよい。ＯｔｈｅｒＣｏｎｆｉｇシグナリングにシグナリング、例えば一時的なＵＥ能力配置シグナリングｔｅｍｐＵＥＣａｐａｂｉｌｉｔｙＣｏｎｆｉｇ−ｒ１４を追加することにより、過熱の問題が発生した場合にユーザ機器が一時的なＵＥ能力を報告できるように指示し、即ち、当該ｔｅｍｐＵＥＣａｐａｂｉｌｉｔｙＣｏｎｆｉｇ−ｒ１４シグナリングによりユーザ機器に対して基地局がユーザ機器の過熱に対する解決能力を備えることを指示することができる。
【００６９】
一実施例において、第２シグナリングには、過熱防止タイマーの期間の長さが更に含まれる。
【００７０】
ステップ３０３において、第２シグナリングを送信する。
【００７１】
一実施例において、基地局がユーザ機器の過熱に対する解決能力をサポートしない場合、基地局は、第２シグナリングをユーザ機器に送信することを拒絶することができる。
【００７２】
一例示的なシーンにおいて、図１Ｂに示すように、図１Ｂに示すシーンにおいて、基地局１０及びユーザ機器（例えばスマートフォン、タブレットなど）２０が含まれる。ここで、ユーザ機器２０は、ＵＥ過熱に対する解決能力を備える場合、第１シグナリングを基地局１０に送信でき、第１シグナリングには、ユーザ機器２０が一時的なユーザ機器能力を報告する能力を備える指示情報が含まれ、基地局２０は、ＵＥ過熱に対する解決能力も備える場合には、第２シグナリングをユーザ機器２０に送信でき、そうでない場合には応答しないことにより、基地局とユーザ機器との間にシグナリングのインタラクティブにより互いにＵＥ過熱に対する解決能力を備えるか否かを確定することを実現する。
【００７３】
本実施例は、上記のステップ３０１〜ステップ３０３により、基地局とユーザ機器との間にシグナリングのインタラクティブにより互いにＵＥ過熱に対する解決能力を備えるか否かを確定することを実現し、さらにユーザ機器とアクセスされる基地局の両方がＵＥ過熱に対する解決能力を備える場合に、基地局によりサービスデータ伝送を中断することなく、ユーザ機器の温度を低減することを実現することができる。
一実施例において、第２シグナリングには、過熱防止タイマーの期間の長さが更に含まれる。
【００７４】
一実施例において、ユーザ機器の過熱保護方法は、
基地局がユーザ機器の過熱に対する解決能力をサポートしない場合、第２シグナリングをユーザ機器に送信することを拒絶するステップをさらに含むことができる。
【００７５】
一実施例において、ユーザ機器の過熱保護方法は、
ユーザ機器が送信した第３シグナリングを受信するステップと、
第３シグナリングからユーザ機器の過熱問題を解決するように指示する補助情報を解析するステップと、
補助情報に基づいて、ユーザ機器の無線リンク構成を調整するステップと、をさらに含むことができる。
【００７６】
一実施例において、補助情報は、
過熱によるパフォーマンス低下の指示情報、及び／又は、過熱によるユーザ機器カテゴリーで表される一時的なユーザ機器能力、及び／又は、過熱による無線周波数パラメータで表される一時的なユーザ機器能力を含む。
【００７７】
具体的には如何にユーザ機器の過熱保護を実現するかは、下記の実施例を参照してもよい。
【００７８】
以下、具体的な実施例を用いて本開示の実施例で提供される技術的案を説明する。
【００７９】
図４は、一例示的な実施例による他のユーザ機器の過熱保護方法のフローチャートである。本実施例は、本開示の実施例で提供される上記の方法を用いて、基地局が、ユーザ機器が送信した、基地局がＵＥ過熱の問題を解決するように要求する第３シグナリングを受信した場合に如何に無線リンク構成を調整することを例として例示的に説明するが、図４に示すように、以下のステップを含む。
【００８０】
ステップ４０１において、ユーザ機器が送信した第３シグナリングを受信する。
【００８１】
ステップ４０２において、第３シグナリングからユーザ機器の過熱問題を解決するように指示する補助情報を解析する。
【００８２】
一実施例において、第３シグナリングには、基地局がユーザ機器の過熱問題を解決するように指示する補助情報が含まれる。補助情報は、過熱によるパフォーマンス低下の指示情報、及び／又は、過熱によるユーザ機器カテゴリーで表される一時的なユーザ機器能力、及び／又は、過熱による無線周波数パラメータで表される一時的なユーザ機器能力を含むことができる。
【００８３】
一実施例において、過熱によるユーザ機器カテゴリーで表される一時的なユーザ機器能力は、ユーザ機器カテゴリーに対応する一時的なユーザ機器能力であることが理解される。システムがあるカテゴリーのユーザ機器の過熱時の一時的なユーザ機器能力について合意する場合、基地局は、第３シグナリングにおけるユーザ機器カテゴリーに応じて一時的なユーザ機器能力を確定することができる。一実施例において、過熱による無線周波数パラメータで表される一時的なユーザ機器能力は、無線周波数パラメータに対応する一時的なユーザ機器能力であることが理解される。システムがあるカテゴリーのユーザ機器の過熱時の一時的なユーザ機器能力について合意する場合、基地局は、第３シグナリングにおける無線周波数パラメータに応じて一時的なユーザ機器能力を確定することができる。
【００８４】
ステップ４０３において、補助情報に基づいて、ユーザ機器の無線リンク構成を調整する。
【００８５】
一実施例において、基地局は、先ず、補助情報に基づいてユーザ機器の調整される無線リンク構成情報を確定し、その後、ユーザ機器の無線リンク構成を調整することができる。
【００８６】
本実施例において、上記のステップ４０１〜ステップ４０３により、基地局がユーザ機器が送信した第３シグナリングに基づいてユーザ機器の無線リンク構成を調整することを実現し、ユーザ機器の過熱によるサービスデータ伝送の中断を防止することができる。
【００８７】
図５は、一例示的な実施例による他のユーザ機器の過熱保護方法のフローチャートである。本実施例は、本開示の実施例で提供される上記の方法を用いて、基地局とユーザ機器とのインタラクティブによりユーザ機器の過熱保護を実現することを例として例示的に説明するが、図５に示すように、以下のステップを含む。
【００８８】
ステップ５０１において、ユーザ機器は、第１シグナリングを基地局に送信する。
【００８９】
一実施例において、第１シグナリングには、ユーザ機器が一時的なユーザ機器能力を報告する能力を備える指示情報が含まれる。
【００９０】
ステップ５０２において、基地局がユーザ機器の過熱に対する解決能力をサポートする場合、第２シグナリングを生成する。
【００９１】
一実施例において、第２シグナリングには、過熱時にユーザ機器が一時的なユーザ機器能力を報告するように指示する指示情報が含まれる。
【００９２】
一実施例において、基地局がユーザ機器の過熱に対する解決能力をサポートしない場合、第２シグナリングを送信することを拒絶し、フローは終了する。
【００９３】
ステップ５０３において、基地局は、第２シグナリングを送信する。
【００９４】
ステップ５０４において、ユーザ機器は、基地局から返される第２シグナリングをモニタリングし、且つ、第２シグナリングがモニタリングされた場合、基地局がユーザ機器の過熱に対する解決能力を備えると確定する。
【００９５】
ステップ５０５において、無線リンク構成が高過ぎてユーザ機器が過熱すると、無線リンク構成を調整するための第３シグナリングを基地局に送信する。
【００９６】
ステップ５０６において、基地局は、ユーザ機器が送信した第３シグナリングを受信する。
【００９７】
ステップ５０７において、基地局は、第３シグナリングからユーザ機器の過熱問題を解決するように指示する補助情報を解析する。
【００９８】
ステップ５０８において、基地局は、補助情報に基づいてユーザ機器の無線リンク構成を調整する。
【００９９】
本実施例において、上記のステップ５０１〜ステップ５０８により、基地局とユーザ機器との間にシグナリングのインタラクティブにより互いにＵＥ過熱に対する解決能力を備えるか否かを確定することを実現し、さらにユーザ機器とアクセスされる基地局の両方がＵＥ過熱に対する解決能力を備える場合に、基地局によりサービスデータ伝送を中断することなく、ユーザ機器の温度を低減することを実現することができる。
【０１００】
図６は、一例示的な実施例によるユーザ機器の過熱保護装置のブロック図であり、当該装置は、ユーザ機器に応用され、図６に示すように、ユーザ機器の過熱保護装置は、
第１シグナリングを基地局に送信し、第１シグナリングには、ユーザ機器が一時的なユーザ機器能力を報告する能力を備える指示情報が含まれるように構成される第１送信モジュール６１と、
プリセット期間内に基地局が第１シグナリングに基づいて第２シグナリングを返すか否かをモニタリングするように構成されるモニタリングモジュール６２と、
モニタリング結果に基づいて、基地局がユーザ機器の過熱に対する解決能力を備えるか否かを確定するように構成される第１確定モジュール６３と、を含む。
【０１０１】
図７は、一例示的な実施例による他のユーザ機器の過熱保護装置のブロック図である。図７に示すように、上記の図６に示す実施例を基に、一実施例において、第１確定モジュール６３は、
モニタリング結果が第２シグナリングがモニタリングされたことを示す場合、基地局がユーザ機器の過熱に対する解決能力を備えると確定するように構成される第１確定サブモジュール６３１と、
モニタリング結果が第２シグナリングがモニタリングされないことを示す場合、基地局がユーザ機器の過熱に対する解決能力を備えないと確定するように構成される第２確定サブモジュール６３２と、を含む。
【０１０２】
一実施例において、第２シグナリングには、過熱時にユーザ機器が一時的なユーザ機器能力を報告するように指示する指示情報が含まれる。
【０１０３】
一実施例において、前記装置は、
基地局がユーザ機器の過熱に対する解決能力を備えると確定する場合、無線リンク構成が高過ぎてユーザ機器が過熱すると、無線リンク構成を調整するための第３シグナリングを基地局に送信し、第３シグナリングには、基地局がユーザ機器の過熱問題を解決するように指示する補助情報が含まれる第２送信モジュール６４をさらに含む。
【０１０４】
一実施例において、補助情報は、
過熱によるパフォーマンス低下の指示情報、及び／又は、過熱によるユーザ機器カテゴリーで表される一時的なユーザ機器能力、及び／又は、過熱による無線周波数パラメータで表される一時的なユーザ機器能力を含む。
【０１０５】
一実施例において、前記装置は、
第２シグナリングから過熱防止タイマーの期間の長さを解析し取得する第１解析モジュール６５と、
期間の長さに基づいて、第３シグナリングを送信した後に無線リンク構成を調整するためのシグナリングを基地局に再度送信する送信時間を確定する第２確定モジュール６６と、をさらに含む。
【０１０６】
図８は、一例示的な実施例によるユーザ機器の過熱保護装置のブロック図であり、当該装置は、基地局に応用され、図８に示すように、ユーザ機器の過熱保護装置は、
ユーザ機器が送信した第１シグナリングを受信し、第１シグナリングには、ユーザ機器が一時的なユーザ機器能力を報告する能力を備える指示情報が含まれるように構成される第１受信モジュール８１と、
基地局がユーザ機器の過熱に対する解決能力をサポートする場合、第２シグナリングを生成し、第２シグナリングには、過熱時にユーザ機器が一時的なユーザ機器能力を報告するように指示する指示情報が含まれるように構成される生成モジュール８２と、
第２シグナリングを送信するように構成される第３送信モジュール８３と、を含む。
図９は、一例示的な実施例による他のユーザ機器の過熱保護装置のブロック図である。図９に示すように、上記の図８に示す実施例を基に、一実施例において、第２シグナリングには、過熱防止タイマーの期間の長さが更に含まれる。
【０１０７】
一実施例において、前記装置は、
基地局がユーザ機器の過熱に対する解決能力をサポートしない場合、第２シグナリングをユーザ機器に送信することを拒絶するように構成される拒絶応答モジュール８４をさらに含む。
【０１０８】
一実施例において、前記装置は、
ユーザ機器が送信した第３シグナリングを受信するように構成される第２受信モジュール８５と、
第３シグナリングからユーザ機器の過熱問題を解決するように指示する補助情報を解析するように構成される第２解析モジュール８６と、
補助情報に基づいて、ユーザ機器の無線リンク構成を調整するように構成される調整モジュール８７と、をさらに含む。
【０１０９】
一実施例において、補助情報は、
過熱によるパフォーマンス低下の指示情報、及び／又は、過熱によるユーザ機器カテゴリーで表される一時的なユーザ機器能力、及び／又は、過熱による無線周波数パラメータで表される一時的なユーザ機器能力を含む。
【０１１０】
上記実施例における装置中の各モジュールが操作を実行する具体的な形態は、当該方法に関する実施例に詳細に記述されているため、ここで繰り返し説明しない。
【０１１１】
図１０は、一例示的な実施例によるユーザ機器に適用される過熱保護装置のブロック図である。装置１０００は、基地局として提供されてもよい。図１０を参照すると、装置１０００は、処理ユニット１０２２、無線送信／受信ユニット１０２４、アンテナユニット１０２６、及び無線インタフェースに特有の信号処理部分を含み、処理ユニット１０２２は、１つ又は複数のプロセッサーをさらに含むことができる。
【０１１２】
処理ユニット１０２２のうちの１つのプロセッサーは、上記のユーザ機器の過熱保護方法を実行するように構成される。
【０１１３】
例示的な実施例において、命令を有する非一時的なコンピュータ読み取り可能な記憶媒体をさらに提供し、前記命令は、装置１０００の処理ユニット１０２２により実行されて上記の方法を実現する。例えば、非一時的なコンピュータ読み取り可能な記憶媒体は、ＲＯＭ、ランダムアクセスメモリ（ＲＡＭ）、ＣＤ−ＲＯＭ、磁気テープ、フロッピーディスク及び光データ記憶機器などであってもよい。
【０１１４】
非一時的なコンピュータ読み取り可能な記憶媒体を提供し、記憶媒体における命令が基地局のプロセッサーにより実行される場合、基地局を実行させて上記の第２態様に係るユーザ機器の過熱保護方法を実現し、前記方法は、
ユーザ機器が送信した第１シグナリングを受信し、第１シグナリングには、ユーザ機器が一時的なユーザ機器能力を報告する能力を備える指示情報が含まれるステップと、
基地局がユーザ機器の過熱に対する解決能力をサポートする場合、第２シグナリングを生成し、第２シグナリングには、過熱時にユーザ機器が一時的なユーザ機器能力を報告するように指示する指示情報が含まれるステップと、
第２シグナリングを送信するステップと、を含む。
【０１１５】
図１１は、一例示的な実施例によるユーザ機器に適用される過熱保護装置のブロック図である。例えば、装置１１００は、第１機器、例えばスマートフォンであってもよい。
【０１１６】
図１１を参照すると、装置１１００は、処理ユニット１１０２、メモリ１１０４、電源ユニット１１０６、マルチメディアユニット１１０８、オーディオユニット１１１０、入力／出力（Ｉ／Ｏ）のインタフェース１１１２、センサーユニット１１１４、及び通信ユニット１１１６からなる群から選ばれる少なくとも１つを備えてもよい。
【０１１７】
処理ユニット１１０２は、一般的には、装置１１００の全体の操作、例えば、表示、電話呼び出し、データ通信、カメラ操作及び記録操作に関連する操作を制御する。処理ユニット１１０２は、上述した方法におけるステップの一部又は全部を実現できるように、命令を実行する少なくとも１つのプロセッサー１１２０を備えてもよい。また、処理ユニット１１０２は、他のユニットとのインタラクションを便利にさせるように、少なくとも１つのモジュールを備えてもよい。例えば、処理ユニット１１０２は、マルチメディアユニット１１０８とのインタラクションを便利にさせるように、マルチメディアモジュールを備えてもよい。
【０１１８】
メモリ１１０４は、装置１１００での操作をサポートするように、各種のデータを記憶するように配置される。これらのデータは、例えば、装置１１００で何れのアプリケーション又は方法を操作するための命令、メッセージ、ピクチャ等を含む。メモリ１１０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクにより、或いはそれらの組み合わせにより実現することができる。
【０１１９】
電源ユニット１１０６は、装置１１００の各種ユニットに電力を供給するためのものであり、電源管理システム、１つ又は複数の電源、及び装置１１００のために電力を生成、管理及び分配することに関連する他のユニットを備えてもよい。
【０１２０】
マルチメディアユニット１１０８は、装置１１００とユーザとの間に出力インタフェースを提供するスクリーンを備えてもよい。一実施例では、スクリーンは、液晶ディスプレイ（ＬＣＤ）やタッチパネル（ＴＰ）を備えてもよい。スクリーンは、タッチパネルを備える場合、ユーザからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット１１０８は、フロントカメラ及び／又はバックカメラを有してもよい。装置１１００が、例えば、撮影モードやビデオモードのような操作モードにある時、フロントカメラ及び／又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１２１】
オーディオユニット１１１０は、オーディオ信号を出力及び／又は入力するように配置される。例えば、オーディオユニット１１１０は、マイクロフォン（ＭｉＣ）を有してもよい。装置１１００が、例えば、呼び出しモード、記録モード、又は音声認識モードのような操作モードにあるとき、マイクロフォンは、外部のオーディオ信号を受信するように配置される。受信したオーディオ信号は、メモリ１１０４にさらに記憶されてもよいし、通信ユニット１１１６を介して送信されてもよい。一実施例では、オーディオユニット１１１０は、オーディオ信号を出力するためのスピーカをさらに備えてもよい。
【０１２２】
Ｉ／Ｏインタフェース１１１２は、処理ユニット１１０２と外部のインタフェースモジュールとの間にインタフェースを提供するためのものである。上記外部のインタフェースモジュールは、キーボードや、クリックホイールや、ボタン等であってもよい。これらのボタンは、ホームボタンや、音量ボタンや、スタートボタンや、ロックボタンを含むが、それらに限らない。
【０１２３】
センサーユニット１１１４は、装置１１００のために各方面の状態を評価する少なくとも１つのセンサーを備えてもよい。例えば、センサーユニット１１１４は、装置１１００のオン／オフ状態や、ユニットの相対的な位置を検出することができる。例えば、前記ユニットは、装置１１００のディスプレイ及びキーパッドである。センサーユニット１１１４は、装置１１００又は装置１１００の１つのユニットの位置の変化や、ユーザが装置１１００に接触しているか否かや、装置１１００の方向又は加速／減速や、装置１１００の温度変化を検出することもできる。センサーユニット１１１４は、何れの物理的な接触もない場合に付近の物体を検出するように配置される近接センサーを有してもよい。センサーユニット１１１４は、イメージングアプリケーションに用いるための光センサー、例えば、ＣＭＯＳ又はＣＣＤ画像センサーを有してもよい。一実施例では、当該センサーユニット１１１４は、加速度センサー、ジャイロスコープセンサー、磁気センサー、圧力センサー又は温度センサーをさらに備えてもよい。
【０１２４】
通信ユニット１１１６は、装置１１００と他の設備の間との無線又は有線通信を便利にさせるように配置される。装置１１００は、通信標準に基づく無線ネットワーク、例えば、ＷｉＦｉ、２Ｇ又は３Ｇ、又はそれらの組み合わせにアクセスできる。１つの例示的な実施例では、通信ユニット１１１６は、ブロードキャストチャンネルを介して外部のブロードキャスト管理システムからのブロードキャスト信号又はブロードキャストに関する情報を受信する。１つの例示的な実施例では、前記通信ユニット１１１６は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ  Ｆｒｅｑｕｅｎｃｙ  ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（登録商標）（ＢＴ：Ｂｌｕｅｔｏｏｔｈ（登録商標））技術及び他の技術によって実現されてもよい。
【０１２５】
例示的な実施例では、装置１１００は、上述した方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサー（ＤＳＰ：Ｄｉｇｉｔａｌ  Ｓｉｇｎａｌ  Ｐｒｏｃｅｓｓｏｒ）、数字信号処理装置（ＤＳＰＤ：Ｄｉｇｉｔａｌ  Ｓｉｇｎａｌ  Ｐｒｏｃｅｓｓｉｎｇ  Ｄｅｖｉｃｅ）、プログラム可能論理装置（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサー、又は他の電子機器によって実現されて、上記のユーザ機器の過熱保護方法を実行する。
【０１２６】
例示的な実施例では、命令を有する非一時的なコンピュータ読み取り可能な記録媒体、例えば、命令を有するメモリ１１０４をさらに提供する。前記命令は、装置１１００のプロセッサー１１２０により実行されて上述した方法を実現する。例えば、前記非一時的なコンピュータ読み取り可能な記録媒体は、ＲＯＭ、ランダムアクセスメモリ（ＲＡＭ）、ＣＤ−ＲＯＭ、磁気テープ、フロッピーディスク及び光データ記憶機器などであってもよい。
【０１２７】
非一時的なコンピュータ読み取り可能な記憶媒体であって、当該記憶媒体における命令が装置のプロセッサーにより実行される場合、装置が上記の第１態様に係るユーザ機器の過熱保護方法を実行するようにさせ、前記方法は、
第１シグナリングを基地局に送信し、第１シグナリングには、ユーザ機器が一時的なユーザ機器能力を報告する能力を備える指示情報が含まれるステップと、
プリセット期間内に基地局が第１シグナリングに基づいて第２シグナリングを返すか否かをモニタリングするステップと、
モニタリング結果に基づいて、基地局がユーザ機器の過熱に対する解決能力を備えるか否かを確定するステップと、を含む。
【０１２８】
当業者は、明細書に対する理解、及び明細書に記載された発明に対する実施を介して、本開示の他の実施形態を容易に取得することができる。本願は、本開示に対する任意の変形、用途、又は適応的な変化を含み、このような変形、用途、又は適応的な変化は、本開示の一般的な原理に従い、本開示では開示していない本技術分野の公知知識、又は通常の技術手段を含む。明細書及び実施例は、単に例示的なものであって、本開示の本当の範囲と主旨は、以下の特許請求の範囲によって示される。
【０１２９】
本開示は、上記で記述され、図面で図示した特定の構成に限定されず、その範囲を離脱しない状況で、様々な修正や変更を実施してもよい。本開示の範囲は、添付される特許請求の範囲のみにより限定される。
【図１Ａ】
0006956255.tif 000002
【図１Ｂ】
0006956255.tif 000003
【図２】
0006956255.tif 000004
【図３】
0006956255.tif 000005
【図４】
0006956255.tif 000006
【図５】
0006956255.tif 000007
【図６】
0006956255.tif 000008
【図７】
0006956255.tif 000009
【図８】
0006956255.tif 000010
【図９】
0006956255.tif 000011
【図１０】
0006956255.tif 000012
【図１１】
0006956255.tif 000013